(57)【要約】車両シート調節装置用自動ロック段階的機構は、締め付けローラ式ロックと段階的装置を有する。締め付けローラ式ロックは、軸（２０）と、軸周りに回転でき且つ歯部を有する解放ホイール（２２）を有する。段階的装置は、軸周りに旋回可能に装着された作動レバー（２４）と、駆動体軸（３２）周りに旋回可能に作動レバーに装着され且つ解放ホイールの歯部と相互作用する２つの駆動領域（２８）を有し、駆動領域は解放ホイールの一方の回転方向で一方のみ歯部と係合し、作動レバーの中央位置で両方歯部から外れ、作動レバーを中央位置から旋回させると、他方が歯部から外れたまま一方が歯部と係合して解放ホイールを回転させる駆動体（２６）と、駆動体と接触する支持面（６２）を有するドラッグレバー（３４）と、バネ（３８）を有する。バネは突起（４０）を有する。ドラッグレバーは通常突起と係合する凹み（４２）を有する。バネは回転しないよう固定される。
2013542884.tif 000002
【特許請求の範囲】
【請求項１】
車両シートの調節装置用自動ロック段階的切替機構であって、
締め付けローラ式ロックと段階的切替装置とを備え、
前記締め付けローラ式ロックは、軸（２０）と、この軸（２０）を中心に回転可能である解放ホイール（２２）とを含み、
前記段階的切替装置は、
ａ）前記軸（２０）を中心に旋回可能に取り付けられた作動レバー（２４）と、
ｂ）駆動体軸（３２）を中心に旋回可能であるように前記作動レバー（２４）に取り付けられた駆動体（２６）であって、前記解放ホイール（２２）の歯車装置と協働する２つの駆動領域（２８）を有し、それぞれ前記駆動領域の一方のみが、それぞれ前記解放ホイール（２２）の一方の回転方向で前記歯車装置と係合し、前記駆動領域の両方が前記作動レバーの中央位置（２４）で前記歯車装置との係合から外れ、前記作動レバー（２４）をその中央位置から旋回させたとき、前記駆動領域の一方が前記歯車装置と係合し且つ前記解放ホイール（２２）を回転させ、他方が前記歯車装置との係合から外れたままである駆動体（２６）と、
ｃ）前記駆動体（２６）と接触するようになる支持面（６２）を備えるドラッグレバー（３４）と、
ｄ）バネ（３８）と
を備え、
前記バネ（３８）は、少なくとも１つの突起（４０）を備え、
前記ドラッグレバー（３４）は、通常は前記突起（４０）と係合している少なくとも１つの凹み（４２）を備え、
前記バネ（３８）は、回転しないように固定されていることを特徴とする、自動ロック段階的切替機構。
【請求項２】
前記バネ（３８）は、前記軸（２０）に対して互いに対向する２つの突起（４０）を有し、前記ドラッグレバー（３４）は、通常は前記２つの突起（４０）と係合している２つの凹み（４２）を含むことを特徴とする、請求項１に記載の自動ロック段階的切替機構。
【請求項３】
前記作動レバー（２４）がその中央位置にあるとき前記駆動体（２６）の駆動領域（２８）と前記解放ホイール（２２）との間に配置される舌状部（５０）が設けられ、好ましくは前記舌状部（５０）は前記バネ（３８）の一部であることことを特徴とする、請求項１に記載の自動ロック段階的切替機構。
【請求項４】
前記ドラッグレバー（３４）に当接する制動タブ（５２）が設けられ、好ましくは前記タブ（５２）が前記バネ（３８）の一部であることを特徴とする、請求項１〜３のいずれか１項に記載の自動ロック段階的切替機構。
【請求項５】
前記ドラッグレバー（３４）は凹部（３６）を有し、前記駆動体（２６）は前記凹部（３６）に位置することを特徴とする、請求項１〜４のいずれか１項に記載の自動ロック段階的切替機構。
【請求項６】
前記凹部（３６）は、前記解放ホイール（２２）の周りを把持し、前記作動レバー（２４）は、軸方向において前記凹部（３６）を覆うことを特徴とする、請求項５に記載の自動ロック段階的切替機構。
【請求項７】
ベースプレート（４６）を備え、前記ベースプレート（４６）は前記締め付けローラ式ロックのハウジング（５４）に接続されることを特徴とする、請求項１〜６のいずれか１項に記載の自動ロック段階的切替機構。
【請求項８】
前記バネ（３８）は、前記ベースプレート（４６）及び／又は前記締め付けローラ式ロックの前記ハウジング（５４）に接続されることを特徴とする、請求項７に記載の自動ロック段階的切替機構。
【請求項９】
前記ドラッグレバー（３４）と前記駆動体（２６）との間に、物理的に形成された旋回軸が設けられていないことを特徴とする、請求項１の前提部分に記載の又は請求項１〜８のいずれか１項に記載の自動ロック段階的切替機構。
【請求項１０】
ゼロ位置バネ（５６）が設けられ、前記ゼロ位置バネ（５６）は環状部分と２つの脚部（５８）とを備え、前記環状部分は前記締め付けローラ式ロックの前記ハウジング（５４）の周りを把持し、前記脚部（５８）は、弾性バイアス下で、前記作動レバー（２４）のカンチレバー及び／又は前記ドラッグレバー（３４）のアーム（４８）に当接することを特徴とする、請求項１〜９のいずれか１項に記載の自動ロック段階的切替機構。
【発明の詳細な説明】
【技術分野】
【０００１】
本発明は、車両シートの調節装置用自動ロック段階的切替機構であって、締め付けローラ式ロックと段階的切替装置とを備え、締め付けローラ式ロックは、軸と、この軸を中心に回転可能であり且つ歯車装置を含む解放ホイールとを備え、段階的切替装置は、ａ）軸を中心に旋回可能に取り付けられた作動レバーと、ｂ）駆動体軸を中心に旋回可能に作動レバーに取り付けられ且つ解放ホイールの歯車装置と協働する２つの駆動領域を有する駆動体であって、解放ホイールの回転方向のそれぞれ一方で、駆動領域の一方のみがそれぞれ歯車装置と係合し、作動レバーの中央位置で、駆動領域の両方が歯車装置との係合から外れ、作動レバーをその中央位置から旋回させると、駆動領域の一方が歯車装置と係合して解放ホイールを回転させるのに対して、他方が歯車装置との係合から外れたままである駆動体と、Ｃ）駆動体に接触する支持面を含むドラッグレバーと、ｄ）バネとを備える、自動ロック段階的切替機構に関する。
【背景技術】
【０００２】
このような自動ロック段階的切替機構は、特許文献１から知られている。この場合に用いられる締め付けローラ式ロックは、フリーホイールとも呼ばれる。このような締め付けローラ式ロックは、特許文献２及び特許文献３から知られている。他の段階的切替機構は、特許文献４及び特許文献５から知られている。
【０００３】
時折、特定の問題が冒頭で述べたタイプの段階的切替機構で生じる。望ましくないニュートラルストロークが生じることがある。他の起こり得ることは、駆動体が作業ストローク後の解放ホイールの歯車装置から適切に離れないことである。
【先行技術文献】
【特許文献】
【０００４】
【特許文献１】独国特許発明第１９５４０６３１号明細書
【特許文献２】独国特許出願公開第１０２０１０４３８２５号明細書
【特許文献３】独国特許出願公開第１０２０１００３１１３３号明細書
【特許文献４】独国特許出願公開第４４００９１０号明細書
【特許文献５】独国特許出願公開第４３４４２２５号明細書
【発明の概要】
【発明が解決しようとする課題】
【０００５】
これに基づいて、本発明は、冒頭で述べたタイプの段階的切替機構を、それがより正確に機能し、特に、駆動体のリードイン動作及び／又は駆動体のリードアウト動作が正確に行われると予想されるように、更に発展させるという目的を設定した。
【課題を解決するための手段】
【０００６】
この目的は、請求項１の特徴を有する自動ロック段階的切替機構によって達成される。
【０００７】
この段階的切替機構では、ドラッグレバーは、作動レバーと同期して移動しない。ドラッグレバーは、バネによりその通常位置に固定される。それは、閾値を超える十分なトルクがドラッグレバーに作用した場合にのみ、そこから旋回される。
【０００８】
作動レバーの中央位置から始まって、駆動体はまず、作業ストロークの開始時に、作動方向において前方に配置されるドラッグレバーの支持面に押し付けられる。駆動運動が続けられると、回転方向において前方に位置する駆動領域が、解放ホイールの歯車装置へと旋回させられ、この歯車装置と係合する。この時点まで、ドラッグレバーはまだその通常位置から移動させられず、ドラッグレバーはまだ移動していない。
【０００９】
ここで駆動が更に続けられると、バネによりドラッグレバーにかけられる制動トルクに打ち勝つことができ、ドラッグレバーが引き連れて行かれる。作動レバーはこのようにドラッグレバーを駆動する。この駆動プロセスは、設計者によって定められた所定の角度位置、例えば２４°まで行われる。
【００１０】
作動の開始時、駆動体は作動レバーによる旋回運動を受け、これは休止しているドラッグレバーによって可能になる。ドラッグレバー自体は最初、駆動体が解放ホイールの歯車装置へと完全に旋回させられるまで、中央位置である通常位置にバネによって保持され、その結果、反力の増加をもたらす。ここで、バネの保持力に打ち勝つことができ、ドラッグレバーが作動レバーと一緒に軸を中心に回転することができ、それにより解放ホイールが駆動され、締め付けローラ式ロックの出力軸に回転運動が生じる。
【００１１】
好ましくは、バネは軸に関して互いに向かい合う２つの突起を有し、且つ、通常はこの２つの突起に係合している、関連する２つの凹みがドラッグレバーに設けられる。ドラッグレバーにかかる信頼性のある保持力は、２つの対向するバネ荷重によって得られる。２つの凹みは、好ましくは、単一の直径上に位置する。この直径は、好ましくは、駆動軸を通って延びる半径方向に対して９０°の角度で配置される。この半径方向と凹みの間の角度が大きいほど、作動レバーにおける作業ストロークの角度を大きくすることができる。
【００１２】
運動学的反転で、バネが同様に凹みを有することができ、突起をドラッグレバーに設けることができる。凹みは非常に小さくすることができ、完全に省略することもできる。
【００１３】
好ましい発展形態では、作動レバーがその中央位置にあるときに駆動体の駆動領域と解放ホイールとの間に配置される、舌状部が設けられる。好ましい発展形態では、舌状部はバネの一部である。作業ストロークの終了時及び作動レバーを戻すときに、この舌状部は駆動体が乗り上げられるのを防ぐ。それは駆動体が解放ホイールの歯車装置まで反対方向に旋回するのを防ぐからである。したがって、他方の、今のところ活動的でない駆動領域が動作位置になるのを防ぐ。その場合、作動レバーは捕らえられ、直前に行われたストロークを部分的に又は完全に戻すだろう。舌状部は、作動レバーの戻りが始まるとき、駆動領域と歯車装置との間に位置する。したがって、駆動領域は、歯車装置に接触しないことができる。舌状部は、中央位置に到達する直前で終わっている。舌状部は、歯車装置への旋回運動が行われない駆動体の経路を自由にする。好ましくは、舌状部は、駆動軸とほぼ同じ角度位置、すなわち１２時の位置にある。２つの凹みは、好ましくは、３時及び９時の位置にある。
【００１４】
別の改良形態では、ドラッグレバーに引きずるように当接する制動タブを設けることが提案される。好ましくは、このタブは、バネの一部である。このタブは、摩擦モーメントを生じさせる。それは、ドラッグレバーの回転運動にブレーキをかける。したがって、それは、ドラッグレバーが自由に回転する可能性を防ぐ。タブによって、ドラッグレバーは、中央位置に到達するまで運ばれなければならない。ここで、バネが凹みにラッチするとき、ノイズは全く生じない。バネの弾性領域は、確実に導かれる方法で、凹みに置かれる。凹みは、任意の形状を有することができ、それらは切り欠きとして構成されることができる。好ましくは、タブは、舌状部及び／又は駆動体軸と正反対に位置する。好ましくは、タブは６時の位置にある。
【００１５】
好ましくは、ドラッグレバーは、駆動体が配置される凹部を有する。したがって、駆動体は、保護される形で配置される。この場合、ドラッグレバーは、好ましくは、作動レバーと逆方向を向いている側に、この凹部をふさぐ壁を有する。したがって、駆動体は、軸方向にのみ凹部に挿入することができる。好ましくは、凹部は、一方向にのみアクセス可能である。
【００１６】
好ましくは、バネは自動ロック段階的切替機構のベースプレート及び／又は締め付けローラ式ロックのハウジングに接続される。かくして、バネは回転不可能である。作動レバーが作動された場合、それは移動しない。好ましくは、バネは、ベースプレートの開口部に係合する保持アームを備える。ポジティブ嵌合の回転接続部が、このようにして得られる。
【００１７】
請求項１の特徴的な特徴とは別個に、本発明の特別な特徴は、請求項１の前提部分の特徴に基づいて、ドラッグレバーと駆動体との間に、物理的に形成された旋回軸が全く設けられていない、という事実にある。特許文献１による段階的切替機構には、このような実在する軸が設けられる。この結果、ドラッグレバーは常に作動レバーと同期して旋回する。物理的に形成された旋回軸が設けられない場合、作動レバーを、それに旋回可能に取り付けられた駆動体と共に、ドラッグレバーを同様に旋回させられることなく、小さい角度範囲にわたって旋回させることができる。作動レバーと旋回レバーとの間には、実在する旋回軸による旋回接続はない。したがって、駆動体のリードイン動作を、ドラッグレバーの回転から切り離すことができる。
【００１８】
出願人は、特許請求の範囲から及び／又は明細書の文から任意の特徴及びサブ機能を互いに組み合わせる権利を、このような組み合わせが明示的に示されていない場合でも、留保している。
【００１９】
異なる特徴の任意の組み合わせ及び個々の特徴が、出願書類に記載されている場合は、本開示内容の一部である。
【００２０】
本発明の他の利点及び特徴は、他の請求項から、及び本発明の例示的な実施形態の以下の説明から明らかとなるが、例示的な実施形態は、限定するものではないと理解されるべきであり、以下に図面を参照して説明される。
【図面の簡単な説明】
【００２１】
【図１】自動ロック段階的切替機構の斜視組み立て図を示す。
【図２】図１の細部、すなわち右側の組立体をバネとゼロ位置バネを除いた状態で示す。
【図３】図１に示される構成要素の正面斜視図を、作動レバーなしで、組み立てた状態で、初期位置で示す。
【図４】図３による配置を駆動体が係合した状態で示す。
【図５】解放ホイールの駆動の開始時における図３と同様の配置を示す。
【図６】作動ストロークの終了時における図３と同様の図を示す。
【図７】戻り行程中の図３と同様の図を示す。
【発明を実施するための形態】
【００２２】
自動ロック段階的切替機構は、車両シートの調節装置用のものである。このような調節装置は、例えば、シートフレームに対する背もたれの調節手段、シートフレームに対するシートの前縁の高さ調節手段、又は、自動車シートのベースフレームの後部ロッカー用調節手段である。このような調節装置は、従来技術から当業者に知られている。
【００２３】
段階的切替機構は、締め付けローラ式ロックを備える。これは、以下で詳細には説明しない。締め付けローラ式ロックは、冒頭で述べた２つの特許出願から知られているように使用される。この締め付けローラ式ロックは軸２０を含み、この軸は同時に段階的切替機構の軸である。また、それは解放ホイール２２を備える。これは標準的な外歯歯車として構成される。それは軸２０を中心に回転可能である。
【００２４】
段階的切替機構は更に、段階的切替装置を備える。段階的切替装置は、軸２０を中心に旋回可能に取り付けられた作動レバー２４を含む。それは、ハンドレバーに接続するために接続手段を備える。ユーザーは、このようなハンドレバー（図示せず）を握って作動動作を開始する。
【００２５】
更に、段階的切替装置は、駆動体２６を備える。これは、歯車装置（ギヤリング）として構成されている２つの駆動領域２８を含み、それらは解放ホイール２２に向けられる。駆動体３０は穴を備え、この穴を通して、作動レバー２４に配置された軸ピン３０が延びる。それは駆動軸３２を形成し、駆動軸３２を中心に、駆動体２６は、作動レバー２４に対して旋回することができる。
【００２６】
既知の方法で、特に、ちょうど冒頭で述べたタイプの段階的切替装置のように、それぞれ２つの駆動体部２８の一方のみが、解放ホイールの一方の回転方向において、すなわち駆動プロセスの場合に、解放ホイール２２の歯車に係合する。作動レバー２４の中央位置では、２つの駆動領域２８のいずれも、歯車装置と係合していない。作動レバー２４が中央位置からスタートして旋回されると、２つの駆動領域２８の一方は歯車装置と係合するようになり、他方は係合から外れたままである。一旦係合が行われると、解放ホイール２２を駆動し且つ回転させることができる。
【００２７】
段階的切替装置は更に、ドラッグレバー３４を備える。他の部分が金属部品として形成されるのに対し、それは好ましくは、プラスチック部品として構成される。ドラッグレバー３４は、実質的に環状である。段階的切替装置の組み立てた状態では、それは解放ホイール２２の周りを把持し、それに支持される。ドラッグレバー３４は、駆動体２６を収納する凹部３６を有する。組み立てた状態では、この凹部３６は、作動レバー２４の一部の領域によって覆われる。したがって、駆動体２６は、軸方向に固定される。それは、径方向内側に自由に引っ張ることができる。
【００２８】
段階的切替装置は更に、バネ３８を備える。この特定の例示的な実施形態では、このバネ３８は、さまざまな役割を有し、それは平らな金属材料から打ち抜かれた屈曲バネである。バネ３８は２つの突起４０を有する。それらは、３時と９時の位置に配置され、互いに正反対に位置する。それらは、上部及び下部ブリッジを介してバネ３８の本体に接続された平坦なシートメタル片によって形成される。シートメタル片は、本体を横切る平面内に位置し、それは軸線２０及び３２によって定められる。駆動体軸３２は、作動レバーの中央位置において１２時の方向に位置する。それらの中央領域において、シートメタル片は、解放ホイール２２に向かって曲げ出され、これらの曲げ出された部分が突起４０を形成する。突起４０は、ドラッグレバー３４の外殻上の同じ位置に設けられた凹み４２と協働する。
【００２９】
バネ３８は、１２時の位置に配置された保持アーム４４を備える。この保持アーム４４は、バネ３８の回転固定に役立つ。保持アーム４４は、軸２０に向かって下方を向いている突起（ラグ）を備える。それは、ベースプレート４６の開口部に達する。このベースプレート４６は、保持アーム４４の下に位置するアーム４８を備える。後者の機能を以下に説明する。
【００３０】
バネ３８は、１２時の位置にある舌状部５０を形成する。舌状部５０は、実質的に長方形であり、それは、解放ホイール２２の歯車装置の上に小さい角度範囲、例えば１〜８°にわたって自由に延びる。段階的切替装置の組み立てた状態では、それは半径方向に見て、解放ホイール２２の歯車装置と駆動体２６との間に配置される。舌状部５０は、バネ３８の本体から横方向に突出している。
【００３１】
バネ３８は制動タブ５２を有し、制動タブは、舌状部５０と同様にバネ３８の本体から横方向に軸方向に突出している。タブ５２は、６時の位置に配置される。それは、ドラッグレバー３４の外殻に引きずるように載り、制動トルクをもたらす。
【００３２】
ベースプレート４６は、締め付けローラ式ロックのハウジング５４に接続される。このハウジング５４は、ベースプレート４６とバネ３８との間に位置する。バネ３８は、ハウジング５４と解放ホイール２２との間に位置し、その一部のみが解放ホイールの平面内に位置する。
【００３３】
段階的切替装置は更に、ゼロ位置バネ５６を備える。それは、脚バネとして構成される。それは、２つの屈曲と２つの脚部５８とを有する。脚部５８は、実質的に半径方向外側に突出する。一方の脚部５８は１２時と１時の間の位置にあり、他方の脚部５８は、１１時と１２時の間の位置にある。組み立てた状態では、これらの脚部５８は、作動レバー２４によって形成された保持用凹み６０に弾性的に当接する。詳細には、それらは、組み立てた状態でバネ３８の保持アーム４４の上に延びる、作動レバー２４の横方向部分に形成される。アーム４８は、２つの脚部５８の間に位置する。
【００３４】
駆動体２６は、ドラッグレバー３４の凹部３６内で変位可能である。その周りを駆動体２６がドラッグレバー３４に対して旋回可能であるような物理的な軸は設けられていない。したがって、これは冒頭で述べたタイプの従来技術との相違点である。
【００３５】
凹部３６には対向する支持面６２が設けられており、駆動体２６は、それらに接触することができる。接触は、駆動体２６の対応する対向面で行われる。作動レバー２４の中央位置では、両方の側で、支持面６２と駆動体２６の関連する対向面との間に少量の遊びが存在し得る。しかし、この遊びは非常に小さいことができ、それは組み立てに十分な程度でなければならない。図３から分かるように、詳細には、対向面は、部分的に円筒状又は球状の形状に構成される。凹部３６は、一般に段状に構成され、支持面６２は、向かい合った段部に位置する。
【００３６】
ゼロ位置バネ５６は、バネ線から製造される。これは、２つの屈曲により形成された環状部分を有する。この環状部分は、締め付けローラ式ロックのハウジング５４の周りを把持する。ゼロ位置バネ５６は、説明したように、保持用凹み６０内にあるその脚部５８と、ハウジング５４の周りの把持とによって固定される。作動レバー２４が図３に示される中央位置から外されると、回転方向の脚部５８も移動させられる。ゼロ位置バネ５６は締め付けられる。この過程で、他方の脚部５８は、それ自体をアーム４８で支える。
【００３７】
図３は初期位置を示す。図示の組立体は、解放ホイール２２用の３つの連結部は別として、軸２０と駆動軸３２によって画定される平面に対して軸方向に対称である。２つの駆動領域２８は、解放ホイール２２の歯車装置と係合していない。舌状部５０は、半径方向に見て、駆動体２６と解放ホイール２２の歯車装置との間に配置される。円周方向に見ると、舌状部５０は、２つの駆動領域２８の間に配置される。
【００３８】
図４による例は、左側の駆動領域２８が解放ホイール２２の歯車装置に掛かった状態を示す。中央位置を示す図３による初期位置からスタートして、作動レバー２４を介して導入された力Ｆが、駆動体２６に作用する。それは、駆動体２６を左側に旋回させる。したがって、その左側対向面が、対応する支持面６２と接触し、そこに反力Ｒが生じる。力ＦとＲの両方が駆動体２６を概ね反時計方向に傾かせ、それにより左側の駆動領域２８を歯車装置と係合させる。この係合が図４に示されている。図４において、突起４０がそれぞれの凹み４２と係合していることが分かる。
【００３９】
図５は、解放ホイール２２の実際の駆動中の中間位置を示す。ここで、ドラッグレバー３４もまた、軸２０を中心に反時計回り方向に回転させられる。２つの凹み４２はもはや突起４０から自由である。
【００４０】
図６は、作動ストロークの最終状態を示す。これは、ここに示されていない作動レバー２４用の停止部によって制限される。この状態は、図５と同様であるが、凹み４２は、それぞれの側で突起４０から更に離れている。
【００４１】
図７は、図６による位置から始まる、最初の戻りストロークを示す。反対方向、すなわちここでは時計回り方向の作動レバーの旋回運動が開始されると、凹部３６の他方の支持面６２が駆動体２６の関連する対向面に接触するので、後者は反対方向に旋回させられ、その既に駆動している駆動領域２８が歯車装置との係合から外れる。他方の駆動領域２８が係合へと導かれないように、舌状部５０が設けられ、舌状部は、ここでは他方の係合領域の下に配置される。これは、ある種の防護物を形成し、他方の係合領域の係合を防止する。図３に係る初期位置に再び到達するまで、この妨害は長時間持続する。
【図１】
2013542884.tif 000003
【図２】
2013542884.tif 000004
【図３】
2013542884.tif 000005
【図４】
2013542884.tif 000006
【図５】
2013542884.tif 000007
【図６】
2013542884.tif 000008
【図７】
2013542884.tif 000009
【国際調査報告】
2013542884.tif 000010
2013542884.tif 000011
2013542884.tif 000012
2013542884.tif 000013